(57)【特許請求の範囲】
【請求項１】
光学的に被写体を撮像する撮像器と、
前記撮像器を介して第１サーバの第１アドレスと機器固有情報とを取得する処理器と、
前記第１アドレスを利用して、前記機器固有情報を前記第１サーバへ通知するための通信器と、
前記通知に対する返信が前記第１サーバから送られて来たことに基づき、前記機器固有情報を有する電子機器が前記第１サーバにログインするために用いられるログイン設定情報を入力可能な案内画面を自動生成して表示する、表示制御器と、を有し、
前記機器固有情報を有する前記電子機器が前記第1サーバにログインできない状態であっても、前記処理器は、前記案内画面を介して入力された前記ログイン設定情報であって前記機器固有情報を有する前記電子機器が前記第１サーバにログインするための前記ログイン設定情報を前記第１サーバに登録するために、前記通信器を介して前記第１サーバに供給する端末。
【請求項２】
前記処理器は、
前記ログイン設定情報に対して、前記撮像器を介した情報取得の前に、前記端末内部のメモリに保存されている内部データを付加する、請求項１記載の端末。
【請求項３】
前記処理器は、
前記通信器を介して外部サーバから取り込んだユーザ固有情報を、前記ログイン設定情報に対して付加する、請求項１記載の端末。
【請求項４】
前記表示制御器は、
前記ログイン設定情報に対して、予め前記端末内部のメモリに保存されている内部データを自動的に付加するかどうかを決めるための問い合わせメッセージを表示器に表示する、請求項１記載の端末。
【請求項５】
前記表示制御器は、
前記ログイン設定情報に対して、外部サーバからユーザ固有情報を自動的に取り込み付加するかどうかを決めるための問い合わせメッセージを表示器に表示する、請求項１記載の端末。
【請求項６】
前記表示制御器は、
前記電子機器の調整データを入力するための入力画面を表示器に表示し、
前記処理器は、前記入力画面を介して入力された調整データを、前記通信器を介して前記第１サーバに供給する、請求項１記載の端末。
【請求項７】
前記電子機器は、テレビ放送信号を受信するチューナを用いて受信した放送番組を視聴することが出来る請求項１記載の電子機器。
【請求項８】
送受信器と、光学的に被写体を撮像する撮像器と、処理器と、表示制御器とを有し、
前記処理器が、
前記撮像器を介して第１サーバの第１アドレスと機器固有情報とを含む２次元コードを取得し、
前記送受信器を介して、前記解析された前記２次元コードの前記第１アドレスを利用して、前記機器固有情報を前記第１サーバへ通知し、
前記通知に対する返信が前記第１サーバから送られて来たことに基づき、前記機器固有情報を有する電子機器が前記第１サーバにログインするために用いられるログイン設定情報を入力可能な案内画面を前記表示制御器により自動生成して表示し、
前記機器固有情報を有する前記電子機器が前記第1サーバにログインできない状態であっても、前記案内画面を介して入力された前記ログイン設定情報であって前記機器固有情報を有する前記電子機器が前記第１サーバにログインするための前記ログイン設定情報を前記第１サーバに登録するために、前記送受信器を介して前記第１サーバに供給する、
電子機器のログイン設定情報の入力方法。
【請求項９】
前記ログイン設定情報に対して、予め前記電子機器内部のメモリに保存されている内部データを付加する、及びまたは、前記送受信器を介して外部サーバから取り込んだユーザ固有情報を、前記ログイン設定情報に対して付加する、請求項８記載の電子機器のログイン設定情報の入力方法。
【請求項１０】
前記表示制御器は、
前記ログイン設定情報に対して、予め前記電子機器内部のメモリに保存されている内部データを自動的に付加するかどうかを決めるための第１の問い合わせメッセージを表示器に表示する、
及びまたは、
前記ログイン設定情報に対して、外部サーバからユーザ固有情報を自動的に取り込み付加するかどうかを決めるための第２の問い合わせメッセージを表示器に表示する、
請求項８記載の電子機器のログイン設定情報の入力方法。
【請求項１１】
前記２次元コードは、さらに電子機器の取り扱い説明書から読み取る、請求項８記載の電子機器のログイン設定情報の入力方法。
【請求項１２】
送受信器と、光学的に被写体を撮像する撮像器と、処理器と、表示制御器に対して与えるプログラム命令を格納したコンピュータ読み取り可能な情報記憶媒体であって、
前記プログラム命令が、
前記撮像器を介して第１サーバのアドレスと機器固有情報とを含む２次元コードを取得する命令と、
前記送受信器を介して、前記解析された前記２次元コードの前記第１サーバのアドレスを利用して、前記機器固有情報を前記第１サーバへ通知する命令と、
前記通知に対する返信が前記第１サーバから送られて来たことに基づき、前記機器固有情報を有する電子機器が前記第１サーバにログインするために用いられるログイン設定情報を入力可能な案内画面を前記表示制御器により自動生成して表示させる命令と、
前記機器固有情報を有する前記電子機器が前記第1サーバにログインできない状態であっても、前記案内画面を介して入力された前記ログイン設定情報であって前記機器固有情報を有する前記電子機器が前記第１サーバにログインするための前記ログイン設定情報を前記第１サーバに登録するために、前記送受信器を介して前記第１サーバに供給する命令と、
を有するコンピュータ読み取り可能な情報記憶媒体。
【請求項１３】
前記プログラム命令が、
前記ログイン設定情報に対して、予め前記コンピュータ内部のメモリに保存されている内部データを付加する、及びまたは、前記送受信器を介して外部サーバから取り込んだユーザ固有情報を、前記ログイン設定情報に対して付加する命令をさらに備える、請求項１２記載のコンピュータ読み取り可能な情報記憶媒体。
【請求項１４】
前記プログラム命令が、
前記ログイン設定情報に対して、予め前記コンピュータ内部のメモリに保存されている内部データを自動的に付加するかどうかを決めるための第１の問い合わせメッセージを表示器に表示する命令、
及びまたは、
前記ログイン設定情報に対して、外部サーバからユーザ固有情報を自動的に取り込み付加するかどうかを決めるための第２の問い合わせメッセージを表示器に表示する命令、をさらに備える請求項１２記載のコンピュータ読み取り可能な情報記憶媒体。
【請求項１５】
送受信器と、光学的に被写体を撮像する撮像器と、表示器と、前記撮像器を介して第１サーバのアドレスと機器固有情報とを含む２次元コードを読み取り、前記２次元コードを解析する解析器と、前記送受信器を介して、前記解析された前記２次元コードの前記アドレスを利用して前記第１サーバとの通信を成立させると共に、前記機器固有情報を前記第１サーバへ通知するための通知器と、前記通知に対する返信が前記第１サーバから送られて来たことに基づき、前記機器固有情報を有する電子機器が前記第１サーバにログインするために用いられるログイン設定情報を入力可能な案内画面を自動生成して表示する表示制御器と、前記機器固有情報を有する前記電子機器が前記第1サーバにログインできない状態であっても、前記案内画面を介して入力された前記ログイン設定情報であって前記機器固有情報を有する前記電子機器が前記第１サーバにログインするための前記ログイン設定情報を前記第１サーバに登録するために、前記送受信器を介して前記第１サーバに供給する処理器と、を有する、端末により、前記２次元コードが撮像される前記電子機器であって、
前記アドレスと前記機器固有情報を含む前記２次元コードを表示する前記表示器を有した電子機器。
【請求項１６】
前記ログイン設定情報は、前記通信器を介して前記第１サーバに供給された後、前記電子機器に供給され、前記電子機器が前記第１サーバへログインするために用いられる、請求項１記載の端末。
【請求項１７】
前記ログイン設定情報は、前記送受信器を介して前記第１サーバに供給された後、前記電子機器に供給され、前記電子機器が前記第１サーバへログインするために用いられる、請求項８記載の設定情報の入力方法。
【請求項１８】
前記ログイン設定情報は、前記送受信器を介して前記第１サーバに供給された後、前記電子機器に供給され、前記電子機器が前記第１サーバへログインするために用いられる、請求項１２記載のコンピュータ読み取り可能な情報記憶媒体。
【請求項１９】
前記ログイン設定情報は、前記送受信器を介して前記第１サーバに供給された後、前記電子機器に供給され、前記電子機器が前記第１サーバへログインするために用いられる、請求項１５記載の電子機器。
【発明の詳細な説明】
【技術分野】
【０００１】
本発明の実施形態は、端末、電子機器のログイン設定情報の入力方法、コンピュータ読み取り可能な情報記録媒体、電子機器に関する。
【背景技術】
【０００２】
テレビジョン受信機、パーソナルコンピュータなどの電子機器は、外部のサーバと接続可能である。接続を成立するためには、初期設定操作を必要とする。所期設定操作においては、電子機器とサーバを接続するためのアドレス（例えばuniform resource locator:ＵＲＬ）の入力、電子機器を利用するユーザのためのアカウントの設定が必要である。また上記の電子機器が複数のサーバに選択的に接続可能であるためには、複数のアドレスを入力する必要がある。【０００３】
しかし電子機器に対して上記操作が手動で行われる場合、ユーザにとって煩わしく、入力ミスも生じることがある、また時間が係るなどの問題があり、操作方法の改善が求められていた。この種の操作方法を改善する次のような提案がある。【０００４】
カメラからテレビジョン受信機にカメラＩＤと関連サーバのＵＲＬとを、近接無線により送る。すると、テレビジョン受信機は、カメラＩＤ及び関連サーバのＵＲＬを利用し、前記関連サーバをアクセスする。そしてテレビジョン受信機は、前記カメラからアップロードされた画像データを、前記関連サーバから取得できるようになる。【０００５】
この方法であると、ユーザはカメラＩＤ及び関連サーバのＵＲＬを、テレビジョン受信機に対して手動で入力する必要がない。この結果、ユーザの煩わしさ、入力ミスの発生、時間の浪費を軽減できる。【０００６】
その他、操作の煩わしさを軽減する技術として、電子機器に入力すべきデータが予め格納されたメモリを利用する方法がある。電子機器がメモリからデータ読み取る仕組みであると、人為的なデータ入力ミスを軽減することができる。
【先行技術文献】
【特許文献】
【０００７】
【特許文献１】ＷＯ２０１０／０７３７３２
【特許文献２】特開２００９−２９０２６５号公報
【特許文献３】特開２００５−１７６２８７号公報
【発明の概要】
【発明が解決しようとする課題】
【０００８】
従来の操作方法の改善は、電子機器がすでに設定されていることを前提としているものが多い。しかしながら電子機器の設定においては、特にユーザが手動入力しなければならない場面が多く、ユーザ操作の負担を軽減することが要望される。【０００９】
そこでこの実施形態によれば、設定を容易にすることができる携帯端末、電子機器のログイン設定情報の入力方法、コンピュータ読み取り可能な情報記録媒体、電子機器を提供することを目的とする。
【課題を解決するための手段】
【００１０】
一実施形態によれば、光学的に被写体を撮像する撮像器と、前記撮像器を介して第１サーバの第１アドレスと機器固有情報とを取得する処理器と、前記第１アドレスを利用して、前記機器固有情報を前記第１サーバへ通知するための通信器と、前記通知に対する返信が前記第１サーバから送られて来たことに基づき、前記機器固有情報を有する電子機器が前記第１サーバにログインするために用いられるログイン設定情報を入力可能な案内画面を自動生成して表示する、表示制御器と、を有し、前記機器固有情報を有する前記電子機器が前記第1サーバにログインできない状態であっても、前記処理器は、前記案内画面を介して入力された前記ログイン設定情報であって前記機器固有情報を有する前記電子機器が前記第１サーバにログインするための前記ログイン設定情報を前記第１サーバに登録するために、前記通信器を介して前記第１サーバに供給する。
【図面の簡単な説明】
【００１１】
【図１】図１は実施形態が適用されたテレビジョン受信機、携帯端末、サービス提供サーバの関係を示す説明図である。
【図２】図２は実施形態においてテレビジョン受信機において、２次元コードが画面に表示された例を示す図である。
【図３】図３は実施形態においてログイン設定情報を入力するために携帯端末或いはテレビジョン受信機の画面に表示される入力項目の例を示す図である。
【図４】図４は実施形態においてログイン設定情報が入力された例を示す図である。
【図５】図５は実施形態においてログイン設定情報に付加データが入力されたさらなる例を示す図である。
【図６】図６は実施形態においてログイン情報が設定されるときにテレビジョン受信機、携帯端末及びサービス提供サーバ間の情報の流れを説明するために示した説明図である。
【図７】図７は実施形態においてテレビジョン受信機における動作手順の例を示すフローチャートである。
【図８】図８は実施形態において携帯端末における動作手順の例を示すフローチャートである。
【図９】図９は実施形態においてサービス提供サーバにおける動作手順の例を示すフローチャートである。
【図１０】図１０は実施形態においてサービス提供サーバにおける動作手順のさらなる例を示すフローチャートである。
【図１１】図１１は実施形態においてテレビジョン受信機がログインするときにテレビジョン受信機、携帯端末及びサービス提供サーバ間の情報の流れを説明するために示した説明図である。
【図１２】図１２は実施形態におけるテレビジョン受信機の構成例を示す図である。
【図１３】図１３は実施形態における携帯端末の構成例を示す図である。
【図１４】図１４は携帯端末の画面の表示例を示す図である。
【図１５】図１５はテレビジョン受信機が、サービス提供サーバと接続され、ファミリーＩＤによりログインしたときの画面の表示状態を示す図である。
【図１６】図１６はテレビジョン受信機がネット接続され、個人ＩＤによりログインしたときの画面の表示状態を示す図である。
【発明を実施するための形態】
【００１２】
以下、実施の形態について図面を参照して説明する。図１は実施形態が適用されたテレビジョン受信機５００、携帯端末７００、サービス提供サーバ９００の関係を示す。
【００１３】
テレビジョン受信機５００は、初期設定（例えば購入後最初に電源をオンしたとき、あるいは、初期設定ボタンが操作されたとき）スクリーンに２次元コード（例えばＱＲコード（登録商標）、或いは文字、図形など）を初期画面として表示する。２次元コードは、例えば図２のように表示される。図２の５０１が初期画面であり、５１１が２次元コードである。この初期画面５０１には、例えば「スマートフォンを使ってＱＲコードからもアカウントを作成できます」というようなメッセージが表示される。
【００１４】
２次元コードは、サービス提供サーバ９００のアドレスと機器固有情報を含むコードであり、初期画面として表示される。機器固有情報は、テレビジョン受信機５００の固有の識別情報（ＴＶ固有ＩＤと称しても良い）である。アドレスは、サービス提供サーバ９００をアクセスするためのuniform resource locator (ＵＲＬ)である。別の実施形態としては、前記２次元コードは、機器固有情報を含むＵＲＬが用いられてもよい。
【００１５】
２次元コードは、携帯端末７００が有するカメラ機能により読み取られることができる（図１の経路（１））。携帯端末７００は、２次元コードを解析し、ＵＲＬを利用してサービス提供サーバ９００をアクセスする（図１の経路（２））。このとき携帯端末７００は、テレビジョン受信機５００の機器固有情報をサービス提供サーバ９００に送信する。
【００１６】
サービス提供サーバ９００は、テレビジョン受信機５００の機器固有情報を認識する。そして、サービス提供サーバ９００は、ハイパーテキスト  マークアップ  ランゲージ５（ＨＴＭＬ５）を作成して、携帯端末７００に送信する（図１の経路（３））。
【００１７】
このＨＴＭＬ５に基づいて、携帯端末７００は、ブラウザ画面を作成して表示する。このブラウザ画面は、テレビジョン受信機５００が前記サービス提供サーバ９００にログインするとき、キーワードとなる情報（ログイン設定情報）を入力するための案内画面である。
【００１８】
図３には、ＨＴＭＬ５に基づいて、携帯端末７００の画面に表示されるブラウザ画面の一例を示している。このブラウザ画面には、マイ・プロフィールを設定するための複数の項目が表示される。
【００１９】
初期設定時には、複数の項目７２１−７３２は、未設定の状態である（図３は未設定の状態を示している）。各項目７２１−７２３としては、利用者の「ログインＩＤ」，「ニックネーム」を入力する項目がある。また「ＰＩＮ」は、個人識別番号(Personal Identification Number)を入力する項目である。個人識別番号を確認するために「ＰＩＮ（確認）」を入力する項目もある。
【００２０】
また「パスワード」入力する項目、「パスワード」を確認するために「パスワード（確認）」を入力する項目もある。
【００２１】
さらにまた利用者の「アイコン」を入力する項目、ログイン画面の「壁紙」を設定するための項目がある。その他に、「アンケート」などを入力するとき使用する項目、「生年月日（誕生日）」を入力する項目、「性別」を入力する項目、「メールアドレス」を入力する項目もある。
【００２２】
ユーザは、携帯端末７００を操作して、上記の項目７２１−７２３に対して情報を入力または設定することができる。携帯端末７００の表示部は、タッチ式の操作入力部としても利用される。したがって、ユーザが、所望の項目に触れると、当該項目に設定すべき情報入力用の数字キー、及びアルファベットキーなどの複数のキーなどを有した操作画面が現れる。ユーザは、情報入力用の複数キーを選択的に操作し、必要情報を入力する。必要情報が入力された後、ユーザが「戻る」ボタンを操作すると、再度、図３の画面に戻る。次にユーザは、情報を入力すべき次の項目に触れて、当該項目に設定すべき情報入力を実施する。ユーザは、情報を入力ことが必要な全ての項目に情報を入力する。なお「ＴｉｍｅＯｎ」という記載があるが、これは、携帯端末７００と特定のサービス提供サーバ９００の通信が成立していることを意味する。例えばサービス提供サーバ９００が、特定の製造メーカにより構築されたサービス情報を提供していることを意味する。したがって、「ＴｉｍｅＯＮ」が特殊な意味をもつのではなく、必ずしも必須ではない。
【００２３】
図４には、ログインＩＤやニックネームが入力されたときの画面の例を示している。また図５には、アンケートが入力された際の画面の例を示している。図５の画面は、例えば図４の「アンケート」という項目にタッチすることにより表れる。図５の「戻る」のボタンに触れると、図４の画面に戻る。
【００２４】
図１に戻って説明する。上記したように、本実施形態ではログイン設定情報を携帯端末７００により構築することができる。このログイン設定情報は、設定終了ボタン後に表示される送信ボタンが操作されたとき、サービス提供サーバ９００に送信される（図１の経路（４））。
【００２５】
サービス提供サーバ９００においては、送られて来たログイン設定情報が、テレビジョン受信機５００の機器固有情報と関連つけられて記憶媒体に格納される。
【００２６】
これにより、サービス提供サーバ９００に対して、ログインＩＤ，ニックネーム、パスワードなどを通じてログインすることが可能となる。
【００２７】
また、ユーザは、サービス提供サーバ９００に格納されたログイン設定情報を確認することができる。このためにユーザは、テレビジョン受信機５００を操作して、サービス提供サーバ９００に対して、ログイン設定情報の表示要求を行うことができる。このときのテレビジョン受信機５００の操作方法は、例えば、テレビジョン受信機５００がオンしている状態で、予め設定した特定の操作ボタンを操作することにより可能である。
【００２８】
この操作を行うことにより、テレビジョン受信機５００は、サービス提供サーバ９００と交信を開始し、ログイン設定情報の表示要求を行う。するとサービス提供サーバ９００は、ログイン設定情報をテレビジョン受信機５００に向けて送信する。テレビジョン受信機５００は、ログイン設定情報を受信して、図４に示したようなログイン設定情報を表示することができる。
【００２９】
ユーザは、テレビジョン受信機５００にて表示されたログイン設定情報をみて、正しく設定されているかどうかを確認することができる。
【００３０】
携帯端末７００は、セルホーン、タブレット、パーソナルアシスタントデバイス（ＰＤＡ）などのカメラ機能を有するデバイスが利用される。また上記の説明ではテレビジョン受信機５００を説明したが、初期設定が必要とされる電子機器、例えばパーソナルコンピュータであってもよい。
【００３１】
図６には、図１で説明した経路（１）、（２）、（３）、（４）において、テレビジョン受信機５００、携帯端末７００及びサービス提供サーバ９００間で送受信（或いは通信）が実行される通信内容を時間経過とともに示している。
【００３２】
テレビジョン受信機５００において、アカウント作成モードになると、図２で示した
２次元コードが表示される。ユーザは携帯端末７００を操作して、２次元コードを読み取る。携帯端末７００は、予めインストールされている２次元コード処理用のアプリケーションに基づいて動作する。ユーザが、送信ボタンを押すと、携帯端末７００は、ＵＲＬを利用してサービス提供サーバ９００との接続を成立させる。
【００３３】
次にサービス提供サーバ９００は、予めインストールされているアプリケーションに基づいて、ＵＲＬに含まれる情報を解析する。そして、サービス提供サーバ９００は、解析結果に基づいて、テレビジョン受信機５００に対応するログイン設定情報の作成が開始されることを認識する。さらにサービス提供サーバ９００は、ログイン設定情報を設定するためのWebアプリケーション（ＨＴＭＬ５）を携帯端末７００に向けて送信する。
【００３４】
携帯端末７００は、Webアプリケーション（ＨＴＭＬ５）を受信し、図３で説明したように、ログイン設定情報を入力するためのブラウザ画面を表示する。携帯端末７００において、ログイン設定情報の入力が終了すると、このログイン設定情報は、サービス提供サーバ９００に送信され、ここで格納保存される。
【００３５】
図７は、テレビジョン受信機５００がそのアカウント作成のために起動されたときの動作フローを示している。テレビジョン受信機５００がメニュー表示しているとき「アカウント作成」の項目が、リモートコントローラ操作に基づいて、カーソルにより選択され、決定ボタンが押される（ステップＡ１）。すると、テレビジョン受信機５００は、テレビジョン受信機を示す機器固有情報と予め設定されているサービス提供サーバのアドレスからＵＲＬを生成する（ステップＡ２）。またＵＲＬを含む２次元コードを作成して画面に表示する。終了ボタンが押されると、上記表示は終了する（ステップＡ４）。
【００３６】
図８は、携帯端末７００がログイン設定情報の入力モードを起動されたときの動作フローを示している。携帯端末７００の機能メニューが表示されているとき、例えば「ログイン設定情報の入力」の項目が選択され、決定される（ステップＢ１）。携帯端末７００は、２次元コードの読み取り可能な状態となる。ユーザが携帯端末７００を操作し、カメラにテレビジョン受信機５００に表示されている２次元コードを読み取らせる（ステップＢ２）。
【００３７】
次に、２次元コードから読み取ったＵＲＬで、サービス提供サーバ９００をアクセスする（ステップＢ３）。サービス提供サーバ９００から、ＨＴＭＬ５が送られてくるので、これを受信し、ＨＴＭＬ５のコードに応じてブラウザ画面を表示する（ステップＢ４，Ｂ５）。
【００３８】
この状態で、ユーザによる操作画面の設定或いはユーザの操作に応じて、携帯端末内部からログイン設定情報としてメールアドレスなどの情報を初期設定情報として取得することもできる。さらには、ユーザによる操作画面の設定或いはユーザの操作に応じて、携帯端末がソーシャルネットワーキングサービス（ＳＮＳ）をアクセスして、ログイン設定情報としてユーザの生年月日、性別などの情報を取得することもできる。これらの情報は、案内画面に応じたユーザの操作や設定に応じて取得されることができる（ステップＢ４１，Ｂ４２，Ｂ４３）。
【００３９】
もしユーザが、メールアドレス、ユーザの生年月日、性別などの情報の取得に関して、「自動取得」を選択した場合、携帯端末７００は、ユーザは、これらの情報の個別の入力を行う必要はない。生年月日、性別などは例えば携帯端末に登録されているアドレスなどを利用して、フェイスブック（登録商標）などのネットワークサービスサーバから取得することができる。
【００４０】
必要されるログイン設定情報が入力された後は、サービス提供サーバ９００に対して、該設定情報が送信される（ステップＢ４４）。携帯端末７００の操作画面において終了ボタンが押されると、ログイン設定情報の入力処理が終了する。
【００４１】
図９は、携帯端末７００からサービス提供サーバ９００がＵＲＬに基づきアクセスされたときの、サービス提供サーバ９００の動作手順を示している。機器固有情報（ＴＶ固有ＩＤ）を含むＵＲＬを受信する（ステップＤ１）。次に受信したＴＶ固有情報に対応し、かつログイン設定情報を入力するための画面を構成するために情報を、サーバ内で取得する（ステップＤ２）。次にログイン設定情報を入力するための画面用のWebアプリケーション（ＨＴＭＬ５）を生成する（ステップＤ３）。次に生成したWebアプリケーション（ＨＴＭＬ５）を携帯端末７００に送信する（ステップＤ４）。
【００４２】
図１０は、携帯端末７００とサービス提供サーバ９００が交信を開始し、携帯端末７００からログイン設定情報がサービス提供サーバ９００に送られてきたときの動作手順を示している。ログイン設定情報の受信を開始する（ステップＥ１）。ＨＴＭＬ５実行中の端末から送られたログイン設定情報を受信する（ステップＥ２）。受信したログイン設定情報は、サーバ内の記憶媒体に格納する（ステップＤ３）。
【００４３】
図１１は、サービス提供サーバ９００に対して、携帯端末７００によりテレビジョン受信機５００のためのログイン設定情報が入力された後、テレビジョン受信機５００で該ログイン設定情報（アカウント情報と称しても良い）が確認される際に、テレビジョン受信機５００及びサービス提供サーバ９００間で送受信が実行される通信内容を時間経過とともに示している。
【００４４】
テレビジョン受信機５００においてメニュー表示の中から、ログイン設定情報（或いはアカウント情報）の確認項目が選択される。
【００４５】
サービス提供サーバ９００に対して、ログイン設定情報（アカウント情報）の表示要求を行うことができる。このときのテレビジョン受信機５００の操作方法は、例えば、テレビジョン受信機５００がオンしている状態で、予め設定した特定の操作ボタンを操作することにより可能である。表示要求に対して、サービス提供サーバ９００は、ログイン設定情報（アカウント情報）をテレビジョン受信機５００に返信する。
【００４６】
図１２は、テレビジョン受信機５００の構成例を示すブロック図であり、図１３は携帯端末７００の構成例を示すブロック図である。
【００４７】
テレビジョン受信機は、例えばスクランブルされたデジタル地上波放送信号を受信する複数のチューナを含むデジタルチューナ装置５５０２を有する。デジタルチューナ装置５５０２は例えばＢＳ／ＣＳデジタル放送受信用のチューナ（図示せず）を含んでも良い。
【００４８】
チューナ装置５５０２で受信された放送番組の信号は、ＴＳ処理部５５２２に入力され、複数のチャンネル（ＣＨ）のＴＳ（Ｔｒａｎｓｐｏｒｔ Ｓｔｒｅａｍ）が１つのＴＳに再多重される。多重ＴＳは各チャンネルの放送番組のパケット列を含む。各チャンネルのパケットには、チャンネル及びパケット識別用の識別情報が付加されている。多重ＴＳは、記憶装置５５１１に入力される。またＴＳ処理部５５２２に入力したＴＳの中で、制御情報を含むパケットは、制御部５６００に入力されて処理される。
【００４９】
記憶装置５５１１は、例えば、ハードディスクドライバー、光ディスク記録再生装置を含む。光ディスクにはデジタルバーサタイルディスク（ＤＶＤ），ブルーレイ（登録商標）ディスク（ＢＤ）などが含まれる。
【００５０】
ＴＳ処理部５５２２から制御部５６００に送られるパケットは、例えば、放送番組の暗号化情報であるＥＣＭ（Entitlement Control Message）と、番組名、出演者、開始時刻などのイベント情報を記述したテーブルであるＥＩＴ（Event Information Table）などの情報、ＥＰＧ（Electric Program Guide：電子番組ガイド）情報を含む。
【００５１】
パケットに含まれる映像データは、例えばＭＰＥＧ(Moving Picture Expert Group)方式、ＡＶＣ(Advanced Video Coding)方式などでエンコードされている。またオーディオパケット内のオーディオデータは、例えば、ＰＣＭ(Pulse Code Modulation)方式、Ｄｏｌｂｙ（登録商標）方式、ＭＰＥＧ方式などでエンコードされている。
【００５２】
ＴＳ処理部５５２２で分離されたパケットの中でオーディオデータを含むパケットは、オーディオデコーダ５５２３に入力され、符号化方式に応じた復号化が実施される。オーディオデコーダ５５２３でデコードされたオーディオデータは、オーディオデータ処理部５５２４で同期処理、音量調整などを施され、オーディオ出力部５５２５に供給される。オーディオ出力部５５２５は、スピーカシステムに応じたステレオ分離処理などを実行し、出力をスピーカ５５２６に供給する。
【００５３】
ＴＳ処理部５５２２で分離されたパケットの中で映像データを含むパケットは、映像デコーダ５５３１に入力され、映像デコーダ５５３１では、符号化方式に応じた復号化が実施される。映像デコーダ５５３１でデコードされた映像データは、映像データ処理部５５３２で、同期処理、輝度調整、色調整などが施される。映像データ処理部５５３２の出力は、映像出力部５５３３に供給される。映像出力部５５３３は、制御部５６００からのデータ、図形、番組表などをメイン映像信号に多重することができる。また映像出力部５５３３は、出力映像信号に対して表示器５５３４に応じたスケール、解像度、ライン数、アスペクト比などを設定して、表示器５５３４に向けて出力する。
【００５４】
なお、有料番組のオーディオパケット、映像パケットが暗号化されている場合もある。この場合、鍵情報を用いて暗号化を解くための処理系統もあるがここでは省略している。
【００５５】
制御部５６００は、中央演算処理ユニット（ＣＰＵ）５６０１、操作コマンド処理部５６０２、通信制御部５６０３、操作デバイス管理部５６０４、表示処理部５６１１、メモリ５６１２を含む。さらにＥＰＧ(Electric program guide)データ処理部、記録制御部、などを含むがここでは示していない。
【００５６】
ＣＰＵ５６０１は、制御部５６００の全体の動作シーケンスの調整を行っている。操作コマンド処理部５６０２は、外部から入力する操作コマンドを解析し、コマンドに応じた動作をテレビジョン受信機５００に反映させることができる。操作デバイス管理部５６０４は、制御部５６００に対して操作信号を与える携帯端末７００，７００Ｂ、リモートコントローラなどのデバイス識別データを把握し、管理することができる。
【００５７】
表示処理部５６１１は、映像出力部５５３３を介して表示器５５３４に表示される映像信号を全般的に制御することができる。また表示処理部５６１１は、画像信号の解像度、表示サイズ、表示エリアなどの調整処理を行うこともできる。また、ＥＰＧデータを用いて作成した番組表の映像信号や、操作信号に応じて制御部５６００内で作成されたメニュー映像信号などを映像出力部５５３３に供給することができる。
【００５８】
メモリ５６１２は、制御部５６００内で保存する各種のデータ、アプリケーションなどを保存することができる。このメモリ５６１２は、図１１で説明したようにテレビジョン受信機５００において、アカウント情報を表示する場合にもデータ保存箇所として利用されることができる。
【００５９】
またメモリ５６１３は、不揮発性メモリであり、２次元コードを作成するのに必要なアドレスデータ、及び機器固有情報（ＴＶ固有ＩＤ）を格納している。
【００６０】
メモリ５６１３に格納されているアドレスデータ、及び機器固有情報は、表示処理部５６１１に読み取られて、図２で示した２次元コードの画面を得るために使用される。表示処理部５６１１で作成された２次元コードの画面は映像出力部５５３を介して表示器５５３４に表示される。
【００６１】
また表示処理部５６１１は、図１１で説明したように、サービス提供サーバ９００からアカウント情報を取り込み、表示器５５３４に表示する場合にも動作する。
【００６２】
通信制御部５６０３は、外部との通信を行い、操作コマンド、データ、コンテンツ、などを取り込むことができる。取り込まれたコンテンツ、及びデータは、例えば記憶装置５５１１、或いはメモリ５６１２に格納されることができる。通信制御部５６０３は、テレビジョン受信機５００から外部に向けて、データ、コンテンツ、などを送信することができる。
【００６３】
また、通信制御部５６０３は、無線通信送受信部（通信器と称しても良い）５５１３、有線通信送受信部５５１２と接続されている。有線通信送受信部（通信器と称しても良い）５５１２は、インターネットを介して、遠隔サーバ、或いはホームサーバとの間でデータの送受信を行うことができる。無線通信送受信部５５１３は、複数の携帯端末７００、７００Ｂとの間でデータの送受信を行うことができ、近距離通信用である。また、テレビジョン受信機５００は、リモートコントローラからの操作信号を、赤外線受信部５５１４を介して受け取ることもできる。
【００６４】
携帯端末７００、７００Ｂは、テレビジョン受信機５００をリモートコントロールすることができる。携帯端末７００、７００Ｂは、図示しない基地局、インターネットなどを介してサーバをアクセスすることができる。サーバが提供するコンテンツは勿論のこと、各種のアプリケーション、ゲームソフトなどをダウンロードし、無線通信送受信部５５１３を介して、制御部５６００に転送することが可能である。
【００６５】
また携帯端末７００、７００Ｂは、コンテンツを取得するための情報（例えばウェブサーバのアドレス、メールアドレス、ネットワークアドレスなど）を、無線通信送受信部５５１３を介して、制御部５６００に転送することが可能である。
【００６６】
携帯端末７００や７００Ｂからコンテンツ、アプリケーション、或いはゲームソフトが転送されてくるときは、制御部５６００の通信制御部５６０３が動作する。通信制御部５６０３は、受け取ったコンテンツをメモリ５６１２に格納する。コンテンツは、操作コマンドに応じて、或いは自動的に記憶装置５５１１に格納されてもよい。記憶装置５５１１は、受け取ったコンテンツを例えばハードディスクに記録させることができる。ハードディスクにおいては、コンテンツはコンテンツファイルとして管理される。
【００６７】
表示用のメニュー映像信号、番組表映像信号などは、表示処理部５６１１に格納及びまたは管理されている。メニューの表示、番組表の表示が行われるときは、メニュー画面データ、番組表映像信号が、表示処理部６５１１の制御に基づき、データ格納部（メモリ或いはハードディスク）から読み出され、映像出力部５５３３に供給される。これにより、メニュー画面や番組表画面が表示器５５３４に表示される。
【００６８】
表示用のメニュー映像信号、番組表映像信号などは、携帯端末７００或いは７００Ｂに送信されることもできる。携帯端末７００或いは７００Ｂがメニュー映像信号、番組表映像信号など要求した場合、表示処理部５６１１は、メニュー映像信号、番組表映像信号を携帯端末７００或いは７００Ｂへ送信することができる。
【００６９】
携帯端末７００或いは７００Ｂは、メニュー映像信号、番組表映像信号をタッチ式パネルの画面に表示することができ、ユーザは、タッチ（或いはポイント）式パネルの画面に表示された操作ボタンに触れることにより、テレビジョン受信装置に動作指令信号を与えることができる。
【００７０】
図１３は、携帯端末７００の構成例を示している。表示器７１１１は映像表示部として動作し、かつタッチパネルとして動作することができる。
【００７１】
メニュー画面が表示されているとき、ユーザが所望の項目にタッチすると、その操作入力が、操作コマンド処理部７１１２で認識される。例えば、タッチ操作が、電話機能を選択する操作入力であった場合、携帯端末７００が携帯電話モードに移行する。
【００７２】
携帯電話モードでは、表示器７１１１には、ダイヤル入力を行うための操作画面が表示される、或いは予め登録されている電話番号リスト、相手先名などが表示される。ユーザは、操作画面を介して、所望の宛先のダイヤル入力の操作或いは選択を行う。システム制御部（或いは処理器）７１２０内の携帯電話機能部７１２２が、通信制御部７１１３、送受信器７１１４、アンテナ７１１５を介して通信相手の呼び出しシグナルを送信する。
【００７３】
通信相手と携帯端末７００との回線が接続状態になると、通信相手からの信号が送受信器７１１４、通信制御部７１１３を介して復号される。そして音声データがスピーカ７１１６から出力される。またこちらかの音声データは、マイクロホン７１１７を介して通信制御部７１１３に送られる。そして送信データとして送受信器７１１４を介して通信相手に送信される。
【００７４】
メモリ７１３１は、データを保存したり、或いはアプリケーションを格納するために利用される。またメモリ７１３１に携帯電話７００のメールアドレスなども保存されている。メモリ７１３１は、読み書き可能なランダムアクセスメモリ、及び不揮発性メモリ、ディスクなどの記憶媒体を含むものとする。７１３３はバッテリであり、充電可能である。
【００７５】
また携帯端末７００は、撮像器としてのカメラ７１１８と画像処理部７１２８を有する。図８で説明したように、携帯端末７００は、ログイン設定情報の入力モードが起動すると、２次元コードを読み取り可能な状態となる。ユーザがカメラ２１１８を２次元コードに対向させると、表示器７１１１に２次元コードが表示される。ユーザが取り込みボタンを操作すると、カメラ７１１８を介して２次元コードが画像処理部７１２８に取り込まれ、画像データが解析器７１２３で解析される。解析器７１２３は、２次元コードを解析して、ＵＲＬを作成する。ユーザがタッチパネルの送信ボタンを操作すると、ＵＲＬに基づいてサービス提供サーバ９００をアクセスし、図１−図１０で説明したような動作が開始される。
【００７６】
解析器７１２３は、解析した情報を通知器７１２４に供給する。通知器７１２４は、送受信器７１１４を介して、前記解析された２次元コードのアドレスを利用してサービス提供サーバ９００との通信を成立させる。上記通知器７１２４、送受信器７１１４を含めて通信器と称しても良い。そしてＴＶ固有ＩＤ（機器固有情報）をサービス提供サーバ９００へ通知する。すると、サービス提供サーバ９００から、ＨＴＭＬ５が送られてくるので、案内画面処理器７１２５は、機器固有情報を有する電子機器（テレビジョン受信機５００）が前記所定サーバ（サービス提供サーバ９００）にログインするために必要な設定情報を入力できる環境を設定する。つまり、案内画面処理器７１２５は、送受信器７１１４を介して前記所定サーバから受け取った情報に基づく案内画面を表示器７１１１に表示する。ユーザは、案内画面を介してログイン設定情報を入力する。設定情報処理器７１２６は、入力されたログイン設定情報を前記所定サーバに登録するために、送受信器７１１４を介して前記所定サーバに供給する。中央演算処理装置（ＣＰＵ）７１２７は、各ブロック動作タイミングを調整することができる。
【００７７】
その他、携帯端末７００は、インターネットを介してコンテンツ或いはアプリケーションをダウンロードすることもできる。またダウンロードしたコンテンツ或いはアプリケーションをデータ転送部（図示せず）の制御に基づいて、例えば図１に示すテレビジョン受信機に転送することができる。この場合、携帯端末５００は、外観上は中継器として機能している。この場合、近距離通信が、図示しない通信制御部、送受信器、アンテナを介して実施されてもよい。
【００７８】
携帯端末７００のシステム制御部７１２０内を複数のブロックで示したが、これらのブロック機能はコンピュータ読み取り可能な記録媒体に記録されているプログラムのコードにより、ソフトウエアで実現されてもよいことは勿論である。したがって、システム制御部７１２０の複数の機能ブロックは、プログラムにより実行される方法の中のステップ、或いはプログラムで実行されるステップとして示すことが可能である。
【００７９】
図１４に示すように、携帯端末７００において、各種のログイン設定情報が入力されているとき、自動入力項目の案内が表示されることがある。例えば、パスワードの入力が行われたとき、例えば、「自動入力項目のご案内」の項目が表示される。ユーザがこの項目にタッチすると、携帯端末の画面が変化し、図１４の右側に示すような画面が表示される。
【００８０】
図１４の右側の画面では、メッセージとして、例えば「以下は、「承認」ボタンの操作だけで自動入力が可能です」という表示が得られる。自動入力できるログイン設定情報としては、例えば「メールアドレス」、「生年月日（誕生日）」、「性別」などがある。
【００８１】
ユーザは自動入力したい項目に付随している「承認」のボタンにタッチした場合、対応する設定情報は、自動的に付加される。左側の画面において、項目７３０，７３１，７３２は、それぞれ自動入力された「生年月日（誕生日）」、「性別」、「メールアドレス」の例を示している。
【００８２】
上記の「自動入力項目のご案内」の項目が表示されるタイミングは、各種の場合がある。例えば、facebook（登録商標）などのソーシャルネットワークサービス(SNS)から誕生日情報などを持ってくるとき、facebookにアクセスするためのパスワード入力が必要になる可能性がある。このときはパスワードを入力すると、上記項目が表示される。また携帯端末の場合、特定個人が使うことが前提の特性上、一度、SNSのパスワードを入力してアクセスに成功したら、２度目はパスワードを聞いて来なくすることもできます。このような場合は、例えば操作を開始すると画面の隅に上記の項目が表示されてもよい。このようなケースで上記項目が選択されると、ログインＩＤや、ニックネームなどは、予め携帯端末に設定している情報が、自動的にログイン設定情報として設定されることもできる。
【００８３】
上記した自動入力項目のご案内を表示する案内画面処理器７１２５は、次のように定義できる。即ち、ログイン設定情報に対して、予め携帯端末内部のメモリに保存されている内部データを自動的に付加するかどうかを決めるための問い合わせメッセージを前記表示器に表示することができる処理器である。
【００８４】
上記した「メールアドレス」がログイン設定情報として自動設定される場合は、設定情報処理器７１２６は、予め携帯端末内部のメモリ７１３１に保存されている内部データを付加する第１のデータ付加器を含むことになる。
【００８５】
また上記した、「生年月日（誕生日）」、「性別」などが自動設定される場合は、設定情報処理器７１２６は、送受信器を介して外部サーバ（例えばフェイスブック（登録商標））から取り込んだユーザ固有情報を、ログイン設定情報に対して付加する第２のデータ付加器を含むことになる。
【００８６】
上記したように本システムによると、極めて簡単にＴＶに対するログイン設定情報をサーバに設定することができる。
【００８７】
なお携帯端末７００は、テレビジョン受信機５００のログイン設定情報の入力を開始するための最初のアクションとして、２次元コードをテレビジョン受信機５００の画面から読み取った。しかし２次元コードとしては、テレビジョン受信機５００に付録としてついている取り扱い説明書に印刷されている２次元コードが利用されてもよい。
【００８８】
上記の説明では、「生年月日（誕生日）」、「性別」、「メールアドレス」を「承認」ボタンで自動設定できると説明した。しかし携帯端末内部に存在する「メールアドレス」の自動設定と、携帯端末の外部に存在する「生年月日（誕生日）」、「性別」の自動設定とが区別して指定されるようにしてもよい。
【００８９】
この場合は、案内画面処理器７１２５が、第１の問い合わせメッセージと、第２の問い合わせメッセージとを区別して、表示器７１１１に表示することができる。第１の問い合わせメッセージは、ログイン設定情報に対して、予め携帯端末内部のメモリに保存されている内部データを自動的に付加するかどうかを決めるためのメッセージであり、第２の問い合わせメッセージは、ログイン設定情報に対して、外部サーバからユーザ固有情報を自動的に取り込み付加するかどうかを決めるためのメッセージである。
【００９０】
さらに本システムによると、ネットワーク利用情報の設定のみならず、次のような情報をテレビジョン受信機５００に設定する場合も利用可能である。
【００９１】
本システムによると２次元コードを利用して、携帯端末５００はサービス提供サーバ９００と通信状態を成立することができる。そして、携帯端末５００は、サービス提供サーバ９００にデータを送信する。この送信データは、２次元コードに含まれている機器固有情報を有する電子機器（テレビジョン受信機５００）の動作に密接に関連するデータである。
【００９２】
したがって、前記密接に関連するデータとしては、テレビジョン受信機５００の調整データであってもよい。これは、テレビジョン受信機５００は、サービス提供サーバ９００のアドレスを有し、サービス提供サーバ９００をアクセスすることができ、このアクセスにより前記調整データを取得することができるからである。
【００９３】
前記調整データとしては、テレビジョン受信機５００のチャンネル設定データ、色調整データ、輝度調整データ、画質設定データ、明るさ設定データなどがある。さらには、テレビジョン受信機５００がネットワーク接続された際のスクリーン設定、節電状態に移行するための条件や時間設定などがある。
【００９４】
したがって、「次へ」のボタンを次々と操作した場合、上記の調整データを入力するための入力画面が表示される。そして調整データを入力して「設定・送信」ボタンを押すことにより、調整データがサービス提供サーバに送信される。
【００９５】
テレビジョン受信機５００が、起動したとき「メニュー表示」がユーザ操作により選択されると、メニュー項目の中に「初期設定」が存在する。「初期設定」が選択されると、「マニュアル入力による設定」、「自動による設定」が存在する。「自動による設定」が選択された場合、テレビジョン受信機５００は、自動的にサービス提供サーバ９００をアクセスし、前述した調整データを取得し、この調整データに基づく自己設定を行うことができる。
【００９６】
上記のログイン設定情報を入力する場合、ユーザ個人（例えば１人）のログインのための情報を入力するものとして説明した。しかしこの実施形態では、ユーザ個人だけでなく、ログイン設定情報を、例えば家族用の設定情報として入力することもできる。
【００９７】
これは、テレビジョン受信機やパーソナルコンピュータが１人のユーザだけでなく、家族で共有される場合があるからである。
【００９８】
したがって、携帯端末７００において、図３のようなブラウザ画面の表示状態のとき、「ログイン設定情報は、個人用として入力しますか？」、「ログイン設定情報は、ファミリー用として入力しますか？」、「ログイン設定情報は、グループ用として入力しますか？」などのメッセージ項目が表示される。ユーザは、希望するメッセージ項目を選択してログイン設定情報を入力する。
【００９９】
図１５は、テレビジョン受信機５００が、サービス提供サーバ９００と接続され、ファミリーＩＤによりログインしたときの画面１００の表示状態を示している。ログインは、ログイン操作領域１０９が、リモートコントローラ或いは携帯端末の操作により、カーソルにより選択され決定ボタンが押されると、このログイン操作領域１０９にパスワードを入力する空欄が表示される。ユーザはパスワードを入力し決定ボタンを押すとサービス提供サーバ９００に正式にログインすることになる。
【０１００】
表示領域１０２には、家族や友達からの通知、及びレコメンドデータを受け取るための、各種送受信箱用のガイド画面が表示される。送受信箱としては、アウトルック、メール、メッセージ、レコメンドデータ用などがある。各送受信箱を表す画面枠に対しては、図４で説明したしたように、画像ファイルの中から選択された好きなアイコン画像や壁紙が、ガイド画面と表示される。
【０１０１】
メッセージやレコメンドデータが、送受信箱に到着している場合、対応するガイド画面には、例えば丸印が付加されるか、フレーム枠の色が変化、或いはフレーム枠の輝度が繰り返し変化するなどして表示される。また複数のレコメンドデータが送受信箱に到着している場合、複数の丸印や数字が、対応するガイド画面に付加されて表示されてもよい。
【０１０２】
上記の送受信箱（図１５の表示領域１０２の状態）は、例えば家族間の通信、家族の構成員と友達との間の通信などに利用可能である。友人や遠隔に住む兄弟からアルバム集が送信されてくる場合もある。また、友人からレコマンドデータが送信されてくる場合もある。レコメンドデータとしては、例えばお勧め番組情報、お勧めショッピング情報などがある。またお勧めシーン、お勧め出演者などの情報もある。
【０１０３】
さらに機能系の複数のガイド画面が、領域１０１の下側の領域１０４に表示される。機能系のガイド画面は、領域１０１に表示されている再生映像（現在受信中の番組の映像、或いは記録媒体から再生されている映像であってもよい）に関連してユーザがテレビジョン受信機５００を操作する場合に利用される。このガイド画面の利用は、つぎのような場合に利用される。例えば、領域１０１に表示されている再生映像に関連して、ユーザがサーバ（他のユーザ）との間でコミュニケーションを行う場合に、このガイド画面を選択して、決定ボタンを操作する。すると、現在の再生映像に関するレコメンドデータ、或いはアンケートデータなどをサーバに送信可能となる。
【０１０４】
＜表示領域１０２のガイド画面の利用例＞
ユーザは例えばリモートコントローラ（携帯端末がリモートコントローラ機能を有する場合もある）を操作し、所望のガイド画面（例えば母親から子供へのメッセージ用のガイド画面）にカーソルを合わせることができる。ガイド画面は操作ボタンと称されても良い。カーソルは例えばガイド画面を囲むフレームとして表示される。カーソルが所望のガイド画面上に位置しているとき、リモートコントローラの決定ボタンが押される（クリックされる）と、ガイド画面に対応した送受信箱が開かれ、例えばメッセージが表示される。メッセージは、例えば領域１０２の全体或いは半分が利用されることができる。
【０１０５】
また、ユーザはリモートコントローラを操作し、レコメンドデータの送受信箱を開くこともできる。レコメンドデータは、例えば友人から送られてきたお勧め番組を示すお勧め番組情報、或いはお勧めショッピング情報である場合がある。このとき、ユーザがお勧め番組に興味を持ち、当該番組を視聴したいと思ったとする。このときユーザは、表示されているお勧め番組情報の選択ボタンにカーソルを合わせて決定ボタンを押すと、テレビジョン受信機５００は、自動的に当該番組の再生を開始することができる。この場合、当該番組の再生映像は、小さい画面で表示されて、次にユーザが決定ボタンを押したときに、大画面で表示されてもよい。
【０１０６】
送受信箱は、通信相手の送受信箱や携帯端末へメッセージを送る場合にも利用できる。お勧め番組情報は、例えば、タイトル名、或いは番組内の一部のシーン、或いは出演者名、或いは出演者の画面として表示される。お勧め番組情報には、放送チャンネル番号、放送日時、出演者プロローグなどの情報、コンテンツサーバアドレスなども含まれる。
【０１０７】
このときのテレビジョン受信機５００が番組コンテンツを取得する方法は、テレビジョン受信機５００に接続されている記録装置を駆動して取得する第1の方法とインターネットを介してコンテンツサーバからダウンロードして取得する第２の方法がある。第1の方法においては、記録装置に記録されている番組の番組リスト検索機能が動作する。また第２の方法においては、先のお勧め番組情報に含まれるコンテンツサーバのアドレスが利用される。
【０１０８】
また前記お勧め番組情報には、ユーザが前記番組コンテンツを取得しやすいように加工されたデータが含まれている場合がある。即ち、友達が推薦した勧め番組情報は、前記友達の装置からサーバにアップロードされるが、このサーバにおいて、前記ユーザが利用できる番組情報へと加工されている。この加工が行われるのは以下の理由によるものであり、即ち、放送番組は地域に応じて、放送チャンネル番号、放送時間帯などが異なる場合があるからである。したがって、友人が推薦した番組と同じ番組をユーザがサーチして取得しやすいように、番組情報がサーバにて加工（例えば放送チャンネル番号、放送時間帯等が加工）されて当該ユーザに提供される。お勧め番組情報を取得する方法は、その他、カレンダー情報から取得する方法もある。
【０１０９】
また、表示領域１０２のガイド画面を利用して、家族の構成員、或いはこのガイド画面を管理する管理器に登録されている友人に対して、メール、ショートメッセージなどを送信することも可能である。この場合の友人は家族構成員に共通の友人である。家族構成員に共通の他の家族、友人などの情報は、家族用のガイド画面を格納し、管理する家族用の管理器で認識され登録されている。
【０１１０】
＜表示領域１０４のガイド画面の利用例＞
例えば、現在視聴している番組（領域１０１に表示されている）のドラマにおいて、ユーザが気に入ったシーン、或いは好きな出演者が現れたシーンがあったとする。このような場合、ユーザは、リモートコントローラを操作して、レコメンドのガイド画面を選択し決定ボタンを押す。すると、ユーザが視聴している番組の番組情報がアテンション（或いはノーティス）番組情報としてサーバにアップロードされる。サーバは、このアテンション番組情報をレコメンド番組情報の作成材料、及び又は当該番組のタグリスト作成情報として利用することができる。また、サーバには多くの視聴者から種々の番組に関するアテンション番組情報が送られてくるので、サーバは、アテンション番組情報を利用して統計処理を行うことができる。統計処理を行い、人気度の高い番組順の番組情報リストを作成することができる。
【０１１１】
またユーザは、リモートコントローラを操作して、コメント用のガイド画面を選択し決定ボタンを押すことができる。すると、ユーザが視聴している番組（領域１０１に表示されている番組映像）に関してショートメッセージを入力する画面が現れ、メッセージを入力することができる。メッセージは例えば、リモートコントローラ或いは携帯端末のキーボードディスプレイから入力することができる。
【０１１２】
図１６には、テレビジョン受信機５００が、ネット接続され、個人ＩＤによりログインしたときの画面１００の表示状態を示している。この画面１００では、領域１０１と領域１０３との間に友達とのコミュニケーションを図るためのガイド画面の表示領域１０６が得られる。この表示領域１０６には例えば３つのタイプのガイド画面が存在する。上段のガイド画面（Check-in to Program）には、現在ユーザが視聴している番組を同時に視聴している他人（友達）のリストが、表示される。中段のガイド画面（Currently friends online）には、テレビジョン受信機５００がネットワークに接続されているが、ユーザが視聴している番組とは異なる番組を視聴している他人（友達）のリストが表示される。下段のガイド画面（Friends）には、テレビジョン受信機５００が接続されていない他人（友達）のリストが表示される。テレビジョン受信機５００におけるログイン状態は、定期的にサーバへ送信される。従って、サーバは、ネットワークに非接続状態にあるユーザと、接続状態にあるユーザと、接続状態にありかつ同じ番組を視聴しているユーザとを識別することができる。サーバは、複数のユーザのステイタスを監視している。このためにテレビジョン受信機５００は、表示領域１０６に示すような３つのタイプのガイド画面を提示することができる。
【０１１３】
＜表示領域１０６のガイド画面の利用例＞
例えば、現在視聴している番組のドラマにおいて、友達Ａの息子Ｂが出演している場合、ユーザは、このことを友達Ａ或いはその家族に知らせたい場合がある。また友達Ａが迷子の犬Ｃを捜しているとき、ユーザが迷子の犬Ｃのニュースを視聴したとき、このことを友達Ａやその家族に知らせたい場合がある。このような場合、ユーザは領域１０６に表示されているガイド画面を利用することができる。
【０１１４】
ユーザはリモートコントローラを操作し、カーソルにより所望の友達が表示されているガイド画面を選択し、決定ボタンを押すことができる。すると、選択された友達にメッセージを送ることができる画面に移行することができる。
【０１１５】
上記のコミュニケーションは、表示領域１０２に表示されているレコメンドやメッセージが記載されているガイド画面を利用することもできる。ユーザはリモートコントローラを操作し、カーソルにより所望の画面が表示されているガイド画面を選択し、決定ボタンを押すことができる。すると、選択した画面の送受信箱に登録されている家族或いは人物に当てたメッセージを送信することもできる。表示領域１０６のガイド画面は主としてプライベートなコミュニケーション用として利用できる。
【０１１６】
＜表示領域１０３のガイド画面の利用例＞
このガイド画面には、カレンダーが表示されると共に、当日のイベントやスケジュールのタイトルが簡単に表示される。ユーザが、イベントやスケジュールの詳しい情報を知りたい場合は、イベントやスケジュールのタイトルをカーソルで選択しクリックすることにより、詳しい情報がさらに表示される。詳しい情報は、例えばＵＲＬのアドレスでブラウジングすることが可能である。
【０１１７】
上記のカレンダーには、ユーザのスケジュールなども記入されることができる。カレンダーの表示領域がカーソルで選択されると、カレンダーの利用項目が表示される。スケジュール書込み項目を選択すると、リモートコントローラ或いは携帯端末からスケジュールを入力することが可能である。
【０１１８】
＜クラウドサービスボタン＞
画面１００には、例えば「タイムクラウドサービス(Time cloud Service)」と称されるボタン１０８（名称や表示位置はこの実施形態に限定されるものではない）が表示されている。
【０１１９】
今、ユーザが領域１０１に表示されているコンテンツを視聴している中で、クラウドサービスのボタン１０８をカーソルで選択しクリックし、クラウドサービスの指示をしたとする。すると本装置のクラウドサービスのアプリケーションを起動することができる。クラウドサービスがスタートされた場合、視聴コンテンツと共に、このコンテンツに関連するサービスメニューがタイムクラウドサーバー（サービス提供サーバ９００であってもよい）から提供され、当該サービスメニューを一覧表示させることができる。そして表示ステートに応じて、関連するサービスメニューを切り替え表示することができる。クラウドサービスについては様々なサービスがあり、また各種の発展性がある。
【０１２０】
クラウドサービスサーバへの接続は、リモートコントローラ及び又は端末の特定のボタンを操作することにより、実行されてもよい。
【０１２１】
上記したように、実施形態の端末によれば、光学的に被写体を撮像する撮像器（撮像手段、撮像部と称しても良い）と、前記撮像器を介して第１サーバの第１アドレスと機器固有情報とを取得する処理器（処理部、処理手段と称しても良い）とを有する。そして、前記第１アドレスを利用して、前記機器固有情報を前記第１サーバへ通知するための通信器（送受信器と称しても良い）を有する。また前記機器固有情報を有する電子機器が前記第１サーバにログインするために用いられる設定情報を入力可能な画面であって、前記通信器を介して前記第１サーバから受け取った情報に基づく案内画面を表示する表示制御器（表示制御部、表示制御手段と称しても良い）とを有する。前記処理器は、前記案内画面を介して入力されたログイン設定情報を前記第１サーバに登録するために、前記通信器を介して前記第１サーバに供給する。
【０１２２】
前記処理器は、前記ログイン設定情報に対して、前記撮像器を介した情報取得の前に、前記端末内部のメモリに保存されている内部データを付加することもできる。
【０１２３】
また前記処理器は、前記送受信器を介して外部サーバから取り込んだユーザ固有情報を、前記ログイン設定情報に対して付加することもできる。
【０１２４】
前記表示制御器は、前記ログイン設定情報に対して、予め前記端末内部のメモリに保存されている内部データを自動的に付加するかどうかを決めるための問い合わせメッセージを表示器に表示することができる。また前記表示制御器は、前記ログイン設定情報に対して、外部サーバからユーザ固有情報を自動的に取り込み付加するかどうかを決めるための問い合わせメッセージを表示器に表示することもできる。ここで前記問い合わせメッセージは、少なくともログイン設定情報としてパスワードが入力されたときに表示器に表示されてもよい。
【０１２５】
前記表示制御器は、前記電子機器の調整データを入力するための入力画面を表示器に表示し、前記処理器は、前記入力画面を介して入力された調整データを、前記送受信器を介して前記第１サーバに供給することができる。
【０１２６】
上記した説明において、「器」、「ブロック」などは、「手段」は、「装置」、「モジュール」に置き換えても本発明の範疇であることは勿論である。さらにまた、請求項の各構成要素において、構成要素を分割して表現した場合、或いは複数を合わせて表現した場合、或いはこれらを組み合わせて表現した場合であっても本発明の範疇である。また請求項を方法として表現した場合であっても本発明の装置を適用したものである。
【０１２７】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
0005944920.tif 000002
【図２】
0005944920.tif 000003
【図３】
0005944920.tif 000004
【図４】
0005944920.tif 000005
【図５】
0005944920.tif 000006
【図６】
0005944920.tif 000007
【図７】
0005944920.tif 000008
【図８】
0005944920.tif 000009
【図９】
0005944920.tif 000010
【図１０】
0005944920.tif 000011
【図１１】
0005944920.tif 000012
【図１２】
0005944920.tif 000013
【図１３】
0005944920.tif 000014
【図１４】
0005944920.tif 000015
【図１５】
0005944920.tif 000016
【図１６】
0005944920.tif 000017